(57)【特許請求の範囲】
【請求項１】
略箱状に形成され、前側に開口する前面開口部を有する本体と、
前記前面開口部から前記本体内に出し入れ自在に設けられ、上側に開口する上面開口部を有する洗浄槽と、
該洗浄槽の前側上方に設けられた操作パネルと、
該操作パネルの下方に設けられ、前記操作パネルとともに前記本体の前記前面開口部を覆う扉体を構成する蓋体と、を備え、
前記蓋体に前記操作パネルとの組付位置を決めるためのガイドリブを設け、前記操作パネルに前記ガイドリブを挿入するガイド穴を設け、
前記蓋体の下方と両側面を囲むように上方が開口したコ字状の受け部材を設け、前記蓋体の前面側で前記受け部材に挿入するように化粧パネルを取付けて、前記化粧パネルの上方端面を覆うカバーを備え、
前記ガイドリブは傾斜部を有しており、前記ガイド穴に前記傾斜部が接触し、該傾斜部に沿って前記蓋体を移動させ、該蓋体の上部に設けられた前記化粧パネルの上方端面を覆う前記カバーと前記操作パネルが接触する位置で前記蓋体を組付けるようにした
ことを特徴とする食器洗浄機。
【請求項２】
略箱状に形成され、前側に開口する前面開口部を有する本体と、
前記前面開口部から前記本体内に出し入れ自在に設けられ、上側に開口する上面開口部を有する洗浄槽と、
該洗浄槽の前側上方に設けられた操作パネルと、
該操作パネルの下方に設けられ、前記操作パネルとともに前記本体の前記前面開口部を覆う扉体を構成する蓋体と、を備え、
前記蓋体の下方と両側面を囲むように上方が開口したコ字状の受け部材を設け、前記蓋体の前面側で前記受け部材に挿入するように化粧パネルを取付け、前記受け部材と係合し前記化粧パネルの上方端面を覆うカバーが設けられ、
前記蓋体に前記操作パネルとの組付位置を決めるための傾斜部を有するガイドリブを設け、前記操作パネルに前記ガイドリブを挿入するガイド穴を設け、前記ガイド穴に前記傾斜部が接触し、前記傾斜部に沿って前記蓋体を移動させ、該蓋体の上部に設けられた前記カバーと前記操作パネルが接触する位置で、前記蓋体を前記洗浄槽に一体的に設けられた取付け部に組付けるようにした
ことを特徴とする食器洗浄機。
【請求項３】
システムキッチンに組み込まれ、前記化粧パネルの絵柄を前記システムキッチンの表面材と略同一にしたことを特徴とする請求項１又は２に記載の食器洗浄機。
【発明の詳細な説明】
【技術分野】
【０００１】
本発明は、洗浄槽を前側に引出すことで食器類を出し入れする食器洗浄機に関し、詳しくはシステムキッチンのキッチンカウンター下に組み込まれる食器洗浄機に関するものである。
【背景技術】
【０００２】
従来、システムキッチンに組み込まれる食器洗浄機において、操作パネルをコンパクトにすることでシステムキッチン全体との統一感を向上させるものが知られている（例えば、特許文献１参照）。
【先行技術文献】
【特許文献】
【０００３】
【特許文献１】特開２００８−１７８４４６号公報（第５頁、図５)
【発明の概要】
【発明が解決しようとする課題】
【０００４】
特許文献１に記載の技術によれば、操作パネルと、操作パネルの下方に設けられ本体の前方を覆う蓋体と、蓋体の洗浄槽への固定部を覆う前板を設けたもので、蓋体に化粧パネルを取り付ける場合、化粧パネルの上部端面を前板で覆うことができるので、その分操作パネルをコンパクトにすることができ、食器洗い機のシステムキッチン全体との統一感を向上させることができるようになっている。
【０００５】
しかしながら特許文献１に記載の構成では、前板により化粧パネルの上部端面を覆うことができるが、前板の取付け構造において化粧パネル受け部とぶつからないように設定されているので、取付けた後に前板と化粧パネル受け部に隙間が発生する。
【０００６】
また、操作パネルと前板との関係においても、その位置関係を保持する取付け構造とはなっていないため、部品形状及び取付け時のバラつきにより大小の隙間が発生してしまう。これら隙間が発生することにより見映えが悪くなり、さらに食器洗浄機の前面構成の一体感がなくなってしまうという、システムキッチン全体意匠との統一感を向上させる上で大きな問題があった。
【０００７】
本発明は、前述の課題を解決するためになされたもので、簡単な構造で食器洗浄機の前面構成の一体感が確保でき、システムキッチン全体意匠との統一感を向上させることができる食器洗浄機を得るものである。
【課題を解決するための手段】
【０００８】
課題を解決する本発明に係る食器洗浄機は、略箱状に形成され、前側に開口する前面開口部を有する本体と、前面開口部から本体内に出し入れ自在に設けられ、上側に開口する上面開口部を有する洗浄槽と、洗浄槽の前側上方に設けられた操作パネルと、操作パネルの下方に設けられ、操作パネルとともに本体の前面開口部を覆う扉体を構成する蓋体と、を備え、蓋体に操作パネルとの組付位置を決めるためのガイドリブを設け、操作パネルにガイドリブを挿入するガイド穴を設け、蓋体の下方と両側面を囲むように上方が開口したコ字状の受け部材を設け、蓋体の前面側で受け部材に挿入するように化粧パネルを取付けて、化粧パネルの上方端面を覆うカバーを備え、ガイドリブは傾斜部を有しており、ガイド穴に傾斜部が接触し、傾斜部に沿って蓋体を移動させ、蓋体の上部に設けられた化粧パネルの上方端面を覆うカバーと操作パネルが接触する位置で蓋体を組付けるようにしたものである。
【発明の効果】
【０００９】
本発明によれば、蓋体に操作パネルとの組付位置を決めるためのガイドリブを設け、操作パネルにガイドリブを挿入するガイド穴を設けたので、ガイドリブがガイド穴に挿入されることにより蓋体と操作パネルの位置関係を適正に保持することができ、食器洗浄機の前面扉を構成する蓋体と操作パネルの一体感が確保でき、システムキッチン全体のデザインとの統一感を向上させることができる。
【図面の簡単な説明】
【００１０】
【図１】本発明の実施の形態１に係る食器洗浄機の構成を示す概略図である。
【図２】本発明の実施の形態１に係る食器洗浄機をシステムキッチンに組み込んだ状態の外観図である。
【図３】本発明の実施の形態１に係る食器洗浄機の扉体の構成を示す分解図である。
【図４】本発明の実施の形態１に係る食器洗浄機の扉体周辺の要部断面図である。
【発明を実施するための形態】
【００１１】
実施の形態１
（全体の構成）
図１は、本発明の実施の形態１に係る食器洗浄機の構成を示す概略図、図２は本発明の実施の形態１に係る食器洗浄機をシステムキッチンに組み込んだ状態の外観図である。図１、２により、食器洗浄機の概略構成を説明する。
【００１２】
図１において１００は食器洗浄機であり、１は食器洗浄機１００の前面が開口された例えば外郭が金属で形成された箱状の本体で、例えば、システムキッチンに組み込まれている。本体１内には、例えば樹脂成形で形成された上面が開口している洗浄槽３が、その外側面に取り付けられた第２のスライドレール４ｂを、本体１の内側面に取り付けられた第１のスライドレール４ａ上でスライドさせることにより、前面開口部１ａから引き出し可能に収容されている。
【００１３】
前述のように洗浄槽３は上面が開口していて、その開口から被洗浄物である食器２０が出し入れ自在である。洗浄槽３の内部には食器かご（図示せず）が配設されており食器２０は食器かご（図示せず）に載置するようになっている。
【００１４】
洗浄槽３の底部には、本体１内に配設された洗浄ポンプ（図示せず）によって圧送された水の噴出による反力によって回転力が与えられる洗浄ノズル２１が回転自在に配設されていて、食器かご（図示せず）に載置された食器２０を噴出された水により洗浄するようになっている。
【００１５】
洗浄槽３の上面開口は、洗浄槽３が本体１内に収容されるとその動作に連動する上蓋（図示せず）により機械的に閉塞されるため、洗浄中の水は外部に飛散しないようになっている。
【００１６】
２は本体１の前面開口部を開閉するための扉体である。扉体２については後段で詳しく説明する。扉体２の上方には図２に示すように食器洗浄機１００の運転を操作するための例えば樹脂成形で形成された操作パネル５が設けられている。操作パネル５には、食器洗浄機１００の電源を投入する電源ボタン５ａ、食器洗浄機１００の運転を操作入力するための入力ボタン５ｂが設けられている。
【００１７】
さらに操作パネル５には、洗浄槽３を前面開口部１ａから引き出す際に使用する引き手５ｃが一体的に設けられている。ただこれは一例であり、操作パネル５が扉体２の一部を構成していることから引き手５ｃを一体的に設けたが、扉体２の引出し易い位置であれば、どこに設けてもよく、この位置に限定されるものではない。
【００１８】
また、食器洗浄の工程の１つである乾燥工程において、本体１内に配設された送風ファン（図示せず）により強制的に洗浄槽３内の空気を外部に排出するための排気口５ｄが設けられている。
【００１９】
食器洗浄機１００は図２に示すようにシステムキッチン２００のキッチンカウンター２０１の下に組み込まれている。システムキッチン２００は食器洗浄機１００の他に、例えばＩＨクッキングヒーター２０２が組み込まれる等、色々なバリエーションがある。
【００２０】
システムキッチン２００は、サイズの異なる複数の引出し式収納部２０３ａ〜２０３ｅ
や開き戸式収納部２０４も備えており、システムキッチン２００の構成部材である複数の引出し式収納部２０３ａ〜２０３ｅや開き戸式収納部２０４の表面は、カラーリングやデザインがその質感とともに統一されている。
【００２１】
そのため、食器洗浄機１００やＩＨクッキングヒーター２０２においても全体の統一感を損なわないように構成することが要求され、食器洗浄機１００においては操作パネル５を含む扉体２でシステムキッチン２００との統一感を得るようにする必要がある。
【００２２】
（扉体の構成）
次に図３、図４により扉体２の構成及び扉体２の本体への取付けについて説明する。図３は本発明の実施の形態１に係る食器洗浄機の扉体の構成を示す分解図、図４は本発明の実施の形態１に係る食器洗浄機の扉体周辺の要部断面図である。
【００２３】
扉体２は前述のように上方に操作パネル５、その下方に例えば樹脂成形で形成された蓋体６が設けられ構成されている。操作パネル５内には食器洗浄機１００の電源を入れるための電源ボタン５ａや動作を入力するための入力ボタン５ｂのスイッチ類のみの電装品が取り付けられている。
【００２４】
食器洗浄機１００の動作を制御する制御回路等が搭載された制御基板（図示せず）は収容されておらず、蓋体６と洗浄槽３との間に形成された空間部１１に制御基板（図示せず）等は収容されるようになっている。
【００２５】
また、操作パネル５には前述のように排気口５ｄが設けられているが、洗浄槽３と排気口５ｄを接続する通風路（図示せず）も空間部１１に収容されるようになっていて、操作パネル５内に配設する必要がない。
【００２６】
よって、操作パネル５をコンパクトにすることができるので、システムキッチン２００との統一感を損なうことがないスリムでシンプルな操作パネル５を有する食器洗浄機１００を実現することができる。
【００２７】
蓋体６には、その下方と両側面を囲むようにして上方が開口したコ字状の例えば樹脂成形で形成された受け部材７が固定ネジ（図示せず）により取付けられている。蓋体６と受け部材７は前面側に所定の空間を空けて取付けるようになっていて、その空間に化粧パネル１０が出し入れ自在に挿入できるようになっている。
【００２８】
化粧パネル１０はシステムキッチン２００の仕様に合わせて変更することができるので、化粧パネル１０を取付けることによって食器洗浄機１００のデザイン性向上や、システムキッチン２００との質感の統一化を図ることができる。
【００２９】
但し、システムキッチン２００のカラーリングによっては、化粧パネル１０を使わず樹脂成形で形成された蓋体６の厚みを増す等して、樹脂成形の段階でシステムキッチン２００のカラーリングと同色の調色材を入れ込み、システムキッチン２００のカラーリングと合わせることで統一化を図ることも可能である。
【００３０】
化粧パネル１０を挿入した後、化粧パネル１０の端面を覆い受け部材７のコ字状を囲うようにカバー８が取付けられる。
【００３１】
これら操作パネル５と、受け部材７と化粧パネル１０とカバー８が取付けられた蓋体６を、洗浄槽３と一体的に設けられた取付け部３ａに取付ける。
【００３２】
まず、操作パネル５を取付け部３ａとつき合わせ、操作パネル５に設けられた操作パネル固定ネジボス５ｆに、取付け部３ａの上方に設けられた操作パネル固定ネジ穴３ｃを介して固定ネジ９で取付け固定する。
【００３３】
それから、受け部材７と化粧パネル１０とカバー８が取付けられた蓋体６を取付けるが、その際、システムキッチン２００との統一感を損なわないように操作パネル５の下端と隙間無く取付けるようにするため、操作パネル５の下方にガイド穴５ｅが設けられていて、蓋体６に設けられているガイドリブ６ａを挿入するようになっている。
【００３４】
ガイドリブ６ａの下側には傾斜部６ｃが設けられていて、ガイドリブ６ａが操作パネル５のガイド穴５ｅに挿入されると傾斜部６ｃとガイド穴５ｅが接触する。さらに蓋体６を取付け部３ａの方へ押し込んでいくと、傾斜部６ｃに沿って蓋体６が上方へせり上がっていくことになる。
【００３５】
蓋体６が上方へせり上がっていくと、蓋体６の上方に取付けられているカバー８と操作パネル５の下端が接近し、最終的に隙間が無くなるようになる。その位置で蓋体６に設けられた蓋体固定ネジボス６ｂに、取付け部３ａに設けられた蓋体固定ネジ穴３ｂを介して固定ネジ９で取付け固定するにより、操作パネル５の下端とカバー８が隙間無く取付けられ一体感のある扉体２が完成する。
【００３６】
以上のように、本発明の実施の形態１の食器洗浄機によれば、操作パネル５に蓋体６のガイドリブ６ａを挿入するガイド穴５ｅを設けたので、ガイドリブがガイド穴に挿入されることにより蓋体と操作パネルの位置関係を適正に保持しながら組み立てることができ、最終的に蓋体６の上方に取付けられているカバー８と操作パネル５の下端と隙間が無く取付くようにしたので、食器洗浄機の前面扉を構成する蓋体と操作パネルの一体感が確保でき、システムキッチン全体デザインとの統一感を向上させることができる。
【００３７】
また、化粧パネル１０がシステムキッチン２００の仕様に合わせて変更することができるので、樹脂成形の段階で調色材を入れ込んだ樹脂色では表現できない様々な色やデザインの仕様を採用することができ、食器洗浄機１００システムキッチン２００に組み込んだときにシステムキッチンの他の構築物との統一感が得られ、美麗で統一感のある外観を備えたシステムキッチンを構成することができる。
【００３８】
さらに、化粧パネル１０の全端面が受け部材７とカバー８により囲われているので、化粧パネル１０が木材からなる合板でできている場合でも化粧パネル１０の端面を保護することができ、端面に水がかかるこことがなく化粧パネル１０の耐久性が確保でき、システムキッチン２００のデザイン性を向上させることができる。
【符号の説明】
【００３９】
１  本体、１ａ  前面開口部、２  扉体、３  洗浄槽、３ａ  取付け部、３ｂ  蓋体固定ネジ穴、３ｃ  操作パネル固定ネジ穴、４  スライドレール、４ａ  第１のスライドレール、４ｂ  第２のスライドレール、５  操作パネル、５ａ  電源ボタン、５ｂ  入力ボタン、５ｃ  引き手、５ｄ  排気口、５ｅ  ガイド穴、５ｆ  操作パネル固定ネジボス、６  蓋体、６ａ  ガイドリブ、６ｂ  蓋体固定ネジボス、６ｃ  傾斜部、７  受け部材、８  カバー、９  固定ネジ、１０  化粧パネル、１１  空間部、２０  食器、２１  洗浄ノズル、１００  食器洗浄機、２００  システムキッチン、２０１  キッチンカウンター、２０２  ＩＨクッキングヒーター、２０３  引出し式収納部、２０４  開き戸式収納部。
【図１】
0005758772.tif 000002
【図２】
0005758772.tif 000003
【図３】
0005758772.tif 000004
【図４】
0005758772.tif 000005